(57)【要約】【課題】すでに緊張力が導入され、両端部が構造物に定着されている緊張材の中間部分に取り付ける中間定着具であって、重量が小さく緊張材に装着するときの施工性が良好であるとともに、緊張材の周囲に大きなスペースを必要としない中間定着具を提供する。【解決手段】緊張材２の周囲に、周方向に連続する複数の繊維を配列した連続繊維シート３が筒状に巻き回され、筒状となった連続繊維シート３と緊張材２との間に、硬化時に膨張性を有する充填材５が充填されている。筒状となった連続繊維シート３の拘束によって充填材５と緊張材２との間に膨張圧が作用し、この状態で硬化した充填材５及び連続繊維シート３が緊張材２に固定されている。筒状となった連続繊維シート３の外周面には密接するようにコンクリートが打設され、硬化した該コンクリートに緊張材２が定着される。【選択図】図１
2018024983.tif 000002
【特許請求の範囲】
【請求項１】
緊張材の周囲に、周方向に連続する複数の繊維を配列した連続繊維シートが筒状に巻き回され、
筒状となった前記連続繊維シートと前記緊張材との間に、硬化時に膨張性を有する充填材が充填されており、
筒状となった前記連続繊維シートの拘束によって前記充填材と前記緊張材との間に膨張圧が作用した状態で硬化した前記充填材及び前記連続繊維シートが前記緊張材に固定され、
筒状となった前記連続繊維シートの外周面と密接するように打設されたコンクリートに埋め込まれていることを特徴とする中間定着具。
【請求項２】
筒状に巻き回された前記連続繊維シートの外周面には、凸部が形成されていることを特徴とする請求項１に記載の中間定着具。
【請求項３】
筒状に巻き回された前記連続繊維シートは、巻き回された外径が、前記緊張材が引っ張られる方向に向かって縮小するものであることを特徴とする請求項１又は請求項２に中間定着具。
【請求項４】
筒状に巻き回された前記連続繊維シートの内側に、該連続繊維シートの形状を維持するための形状保持部材を有することを特徴とする請求項１から請求項３までのいずれかに記載の中間定着具。
【請求項５】
緊張材の周囲に、周方向に連続する複数の繊維を配列した連続繊維シートを筒状に巻き回し、
筒状となった前記連続繊維シートと前記緊張材との間に、硬化時に膨張性を有する充填材を充填して硬化させ、
筒状となった前記連続繊維シートの外周面と密接するようにコンクリートを打設して緊張材を前記コンクリートが硬化した構造体に定着するものとし、
前記連続繊維シートを前記緊張材の周囲で筒状に巻き回す工程は、該連続繊維シートの巻き回す方向の一部を前記緊張材の周囲の一部又は全部を囲うように湾曲した形状に成形しておき、柔軟に変形する非成形部分を前記成形した部分に巻き回し、筒状に接着することを特徴とする中間定着具の装着方法。
【請求項６】
緊張材の周囲に、周方向に連続する複数の繊維を配列した連続繊維シートを筒状に巻き回し、
筒状となった前記連続繊維シートと前記緊張材との間に、硬化時に膨張性を有する充填材を充填して硬化させ、
筒状となった前記連続繊維シートの外周面と密接するようにコンクリートを打設して緊張材を前記コンクリートが硬化した構造体に定着するものとし、
前記連続繊維シートを前記緊張材の周囲で筒状に巻き回す工程は、  筒状部材を該筒状部材の軸線方向の切断面で切断した形状の形状保持部材を、前記連続繊維シートの繊維の方向の一端付近に予め接着しておき、前記緊張材の周囲を囲むように前記形状保持部材を筒状に配列して、該形状保持部材の周囲に前記連続繊維シートを巻き回すことを特徴とする中間定着具の装着方法。
【発明の詳細な説明】
【技術分野】
【０００１】
本発明は、すでに緊張力が導入され、両端部が構造物に定着されている緊張材の中間部分に取り付け、該緊張材に緊張力が導入された状態を維持したまま周囲にある構造物に緊張材を定着する中間定着具及びこの中間定着具を緊張材に装着する方法に関するものである。
【背景技術】
【０００２】
コンクリート構造物には埋設された緊張材の緊張力によってプレストレスが導入されているものがある。このようなコンクリート構造物は、補修、補強又は改修等のために一部の撤去が必要となる場合がある。例えば、コンクリートの橋桁の幅方向の一部を撤去し、残った部分で交通を維持しながら一部を新しい橋桁に架け替えることがある。また、橋桁の軸線方向の一部、例えば桁端部が劣化して補修が必要となったときに桁端部を一旦除去し、新たにコンクリートを打設して補修することがある。この他、建築物の一部を解体することもある。このようなときに、コンクリート構造物の撤去する部分と残す部分とにわたって連続する緊張材が配置され、プレストレスが導入されていると、緊張材の中間部分を露出させ、中間定着具を取り付けて残す部分のコンクリートに定着することが行われる。そして、コンクリート構造物の残す部分では緊張材に緊張力が導入された状態を維持し、撤去する部分の緊張材を切断するとともにコンクリート構造物を撤去することが行われている。
【０００３】
このように緊張力が導入された状態の緊張材を中間部分で定着する中間定着具として、例えば特許文献１又は特許文献２に開示されるものがある。
特許文献１に記載の中間定着具は、緊張材が露出された部分に２つの半筒状部材を互いに結合して装着し、これらの間に膨張性グラウトを充填・硬化させて緊張材に固着させるものとなっている。そして、２つの半筒状部材からなる定着具をコンクリート構造物の残す部分と一体となった支圧層に当接させて緊張材を定着する。
特許文献２に記載の中間定着具は、２つの半割り鋼スリーブを併せてなる鋼管スリーブを露出したＰＣ鋼材に装着し、これらの半割り鋼スリーブの周囲に複数の板状Ｃ型部材を嵌め合わせて２つの半割り鋼スリーブを互いに固定する。そして、鋼管スリーブ内に膨張材を流し込んで膨張圧により鋼管スリーブとＰＣ鋼材とを一体化するものとなっている。
【先行技術文献】
【特許文献】
【０００４】
【特許文献１】特開平６−１０１３４４号公報
【特許文献２】特開２００７−２７７８２６号公報
【発明の概要】
【発明が解決しようとする課題】
【０００５】
しかしながら上記先行技術では、次のような解決が望まれる課題がある。
上記先行技術では、半筒状となった金属部材を組み合わせて緊張材の周囲で筒状とし、筒状となった部材と緊張材との間に膨張性を有する充填材を充填する。筒状となった部材は、充填材が硬化する時の膨張圧に抵抗するように拘束するものである。このため、金属からなる半筒状部材は寸法が大きくなり、重量が大きくなる。
また、筒状に結合された金属部材から支圧板又はフランジを介して構造物に緊張材の緊張力が伝達されるので、中間定着具を設けるのに緊張材の周囲に大きなスペースが必要となる。このため、他の緊張材が隣接して配置されている部分では使用が制限されることがある。
【０００６】
本発明は、上記のような事情に鑑みてなされたものであり、その目的は、重量が小さく緊張材に装着するときの施工性が良好であるとともに、緊張材の周囲に大きなスペースを必要としない中間定着具、及びこの中間定着具の装着方法を提供することである。
【課題を解決するための手段】
【０００７】
上記課題を解決するために、請求項１に係る発明は、  緊張材の周囲に、周方向に連続する複数の繊維を配列した連続繊維シートが筒状に巻き回され、  筒状となった前記連続繊維シートと前記緊張材との間に、硬化時に膨張性を有する充填材が充填されており、  筒状となった前記連続繊維シートの拘束によって前記充填材と前記緊張材との間に膨張圧が作用した状態で硬化した前記充填材及び前記連続繊維シートが前記緊張材に固定され、
筒状となった前記連続繊維シートの外周面と密接するように打設されたコンクリートに埋め込まれている中間定着具を提供する。
【０００８】
この中間定着具では、充填材が硬化するときの膨張が筒状に巻き回された連続繊維シートによって拘束され、硬化した充填材には圧縮力が作用している。このため、硬化した充填材は、緊張材を締め付けるように圧接されている。したがって、硬化した充填材は緊張材に強固に固着され、硬化した充填材の位置を拘束したときに緊張材が抜け出さないように保持することができる。また、充填材は、筒状となった連続繊維シートによって拘束され、高い強度を有するものとなってコンクリートに埋め込まれている。したがって、周面及び端面が密接するように打設されて硬化したコンクリートに拘束されて一体となり、緊張材の引張力は充填材を介して構造体の一部となったコンクリートに定着される。
また、連続繊維シートは緊張材の周囲に巻き回すことによって筒状にすることができ、緊張材の両端がすでに定着されていても緊張材の中間部分の周りで容易に筒状とすることができる。そして、筒状となった連続繊維シートの内側に膨張性の充填材を充填し、コンクリートに埋め込むことによって緊張材を周囲の構造部材に定着することが可能となる。
【０００９】
請求項２に係る発明は、請求項１に記載の中間定着具において、  筒状に巻き回された前記連続繊維シートの外周面には、凸部が形成されているものとする。
【００１０】
この中間定着具では、内側に充填材が充填されて筒状となった連続繊維シートの外周面に凸部が形成され、この外周面と密接するようにコンクリートが打設されているので、凸部は硬化したコンクリートに突き入れられた状態となる。これにより、連続繊維シートが巻き回されてブロック状となった充填材が緊張材の軸線方向に移動しようとするのをコンクリートによって有効に拘束することが可能となる。
【００１１】
請求項３に係る発明は、請求項１又は請求項２に記載の中間定着具において、  筒状に巻き回された前記連続繊維シートは、巻き回された外径が、前記緊張材が引っ張られる方向に向かって縮小するものとする。
【００１２】
この中間定着具では、連続繊維シートが巻き回されて外径が変化するブロック状となった充填材が硬化したコンクリート内に埋め込まれており、緊張材とともにコンクリートとの間で相対的に変位するのに抵抗する。また、緊張材が引っ張られる方向に外径が縮小しているので、緊張材の引張力によってブロック状となった充填材には半径方向の圧縮力が作用し、硬化した充填材を緊張材に向かって押し付ける力が作用する。これによって緊張材は硬化してブロック状となった充填材によってより強固に保持される。
【００１３】
請求項４に係る発明は、請求項１から請求項３までのいずれかに記載の中間定着具において、  筒状に巻き回された前記連続繊維シートの内側に、該連続繊維シートの形状を維持するための形状保持部材を有するものとする。
【００１４】
この中間定着具では、形状保持部材の周りに連続繊維シートを巻き回すことによって緊張材の周囲で連続繊維シートを所定の形状に維持することが容易となる。したがって、両端がすでに保持されている緊張材であっても、緊張材の周りに連続繊維シートを巻き回して容易に所定の形状を保持し、筒状となった連続繊維シートの内側に充填材を充填することができる。
【００１５】
請求項５に係る発明は、  緊張材の周囲に、周方向に連続する複数の繊維を配列した連続繊維シートを筒状に巻き回し、  筒状となった前記連続繊維シートと前記緊張材との間に、硬化時に膨張性を有する充填材を充填して硬化させ、  筒状となった前記連続繊維シートの外周面と密接するようにコンクリートを打設して緊張材を前記コンクリートが硬化した構造体に定着するものとし、  前記連続繊維シートを前記緊張材の周囲で筒状に巻き回す工程は、該連続繊維シートの巻き回す方向の一部を前記緊張材の周囲の一部又は全部を囲うように湾曲した形状に成形しておき、柔軟に変形する非成形部分を前記成形した部分に巻き回し、筒状に接着する中間定着具の装着方法を提供するものである。
【００１６】
この中間定着具の装着方法では、連続繊維シートの一部を湾曲した形状に成形しており、この成形部分の周りに柔軟な非成形部分を巻き回すことにより、緊張材の周囲で容易に筒状にすることができる。そして、接着剤等によって巻き回した連続繊維シートを一体に接着することにより、膨張性を有する充填材の硬化時における膨張圧に耐えられる強固な筒状の部材にすることができる。したがって、筒状となった連続繊維シートの内側に膨張性を有する充填材を充填して中間定着具を装着する工程を効率よく行うことができる。
【００１７】
請求項６に係る発明は、  緊張材の周囲に、周方向に連続する複数の繊維を配列した連続繊維シートを筒状に巻き回し、  筒状となった前記連続繊維シートと前記緊張材との間に、硬化時に膨張性を有する充填材を充填して硬化させ、  筒状となった前記連続繊維シートの外周面と密接するようにコンクリートを打設して緊張材を前記コンクリートが硬化した構造体に定着するものとし、  前記連続繊維シートを前記緊張材の周囲で筒状に巻き回す工程は、  筒状部材を該筒状部材の軸線方向の切断面で切断した形状の形状保持部材を、前記連続繊維シートの繊維の方向の一端付近に予め接着しておき、前記緊張材の周囲を囲むように前記形状保持部材を筒状に配列して、該形状保持部材の周囲に前記連続繊維シートを巻き回す中間定着具の装着方法を提供するものである。
【００１８】
この中間定着具の装着方法では、連続繊維シートの一部に形状保持部材を接着しているので、緊張材の周囲で形状保持部材が接着された連続繊維シートを容易に筒状にすることができ、さらに筒状となった形状保持部材の周りに柔軟な非成形部分を巻き回すことができる。そして、接着剤等によって巻き回した連続繊維シートを一体に接着することができ、筒状となった連続繊維シートの内側に膨張性を有する充填材を充填して中間定着具を装着する工程を効率よく行うことができる。
【発明の効果】
【００１９】
以上説明したように本発明の中間定着具では、軽量の材料を用いて緊張材の中間部分で構造部材に引張力を伝達する中間定着具を形成することができ、中間定着具を装着する作業を効率よく行うことができる。また、コンクリート中に埋め込んで端面及び周面から緊張材の引張力を伝達するものとなって、少ないスペースでも定着可能な中間定着具とすることができる。
また、本発明の中間定着具の装着方法では、連続繊維シートを筒状に巻き回す作業を効率よく行うことができ、中間定着具を形成して緊張材を中間部分で定着する作業を効率よく行うことができる。
【図面の簡単な説明】
【００２０】
【図１】本発明の一実施形態である中間定着具を示す側面図、正面図及び断面図である。
【図２】図１に示す中間定着具を構成する連続繊維シートの緊張材に装着する前の状態を示す概略斜視図及び装着する状態を示す概略図である。
【図３】図１に示す中間定着具で使用することができる連続繊維シートの他の例を示す概略斜視図及び装着する状態を示す概略図である。
【図４】図１に示す中間定着具に使用する端部プレートを示す概略斜視図である。
【図５】図１に示す中間定着具を使用して一部を解体する橋桁の概略断面図である。
【図６】図１に示す中間定着具を緊張材の中間部分に装着する工程を示す概略断面図である。
【図７】図１に示す中間定着具を緊張材の中間部分に装着する工程を示す概略断面図である。
【図８】本発明の他の実施形態である中間定着具を示す断面図である。
【図９】図８に示す中間定着具で使用する連続繊維シートの緊張材に装着する前の状態を示す概略斜視図である。
【図１０】図８に示す中間定着具において使用することができる形状保持部材の他の例を示す概略斜視図である。
【図１１】本発明の他の実施形態である中間定着具を示す側面図、正面図及び断面図である。
【図１２】図１１に示す中間定着具で使用することができる連続繊維シートの概略展開図である。
【図１３】本発明に係る中間定着具の他の使用例を示す概略工程図である。
【図１４】本発明に係る中間定着具の他の使用例を示す概略工程図である。
【発明を実施するための形態】
【００２１】
以下、本発明の実施の形態を図に基づいて説明する。
図１は、本発明に係る中間定着具を示す側面図、正面図及び断面図である。
この中間定着具１は、緊張力が導入されている緊張材２の中間部分に装着されたものであり、緊張材２の周りで筒状に巻き回された連続繊維シート３と、筒状となった連続繊維シート３の端部を塞ぐように設けられる端部プレート４と、筒状となった連続繊維シート３の内側に充填されて硬化した膨張性を有する充填材５とで主要部が構成されている。
【００２２】
上記連続繊維シート３は、緊張材２の軸線方向に所定の幅を有し、緊張材２と間隔を空けて周囲に巻き回して筒状とすることができる長さを備えるものであり、周方向に連続する繊維群を束ねてシート状にしたものである。連続繊維はアラミド繊維、ガラス繊維、炭素繊維等を用いることができ、幅方向の横糸（図示しない）によってシート状に束ねられている。このような連続繊維シート３は、緊張材２の周囲で筒状に巻き回され、繊維間に合成樹脂を含浸させることによって多数の繊維が一体に固められるとともに、巻き回して重ね合された連続繊維シート３の層間が合成樹脂で強固に接着され、筒状となった内側に作用する膨張圧に抵抗できるものとなっている。
【００２３】
この連続繊維シート３は、緊張材２の周囲に装着する前には、図２（ａ）に示すように横糸（図示しない）によってシート状に束ねられて柔軟に変形するものとなっているが、周方向の端部における所定の範囲は成形部分３ａとなっており、合成樹脂が含浸されて円筒曲面を形成するように成形されている。この成形部分は所定の内径で、円筒形の周方向における一部を軸線方向に沿って除外した形状となっている。このように一部が所定の形状に成形されている連続繊維シート３は、図２（ｂ）に示すように円筒形の一部が除外された領域３ｃから緊張材２を内側に導入して緊張材２の周囲に配置することができ、図２（ｃ）に示すように円筒曲面を形成する成形部分３ａの周囲に成形されていない非成形部分３ｂを巻き回して筒状にすることができるものである。
【００２４】
周方向の一部が成形された連続繊維シートは、図２に示すように円筒系の一部が除外された形状に限定されるものではなく、図３（ａ）に示すように円筒形を２つに分割した形状が２つ連なるように成形された成形部分６ｂ，６ｃを備える連続繊維シート６を用いることもできる。２つに分割された円筒曲面の連結部６ａは柔軟に変形するものとなっており、２つの円筒曲面となった成形部分６ｂ，６ｃが連結部６ａの両側で互いに回動することが可能となっている。このように一部が成形された連続繊維シート６では、図３（ｂ）に示すように２つに分割された成形部分６ｂ，６ｃを、内側が開放されるように開いた状態で緊張材２の周囲に配置し、２つの成形部分６ｂ，６ｃを閉鎖して円筒状とすることができる。この周囲に非成形部分６ｄを巻き回して周方向に連続した円筒状とすることができる。
また、連続繊維シートの端縁から円筒形の全周分を一つの連続した円筒曲面となるように成形しておき、弾性変形によって円筒曲面の一部を押し開いた状態で緊張材２が円筒形の内側に挿通されるように配置するものであってもよい。
【００２５】
上記端部プレート４は、２つに分割された部材４ａ，４ｂを突き合わせて用いるものであり、図４に示すように、突き合わせたときにほぼ円形となる板状部４ｃと、この板状部４ｃの周縁から緊張材２の軸線方向に張り出したフランジ部４ｄとを備えている。そして板状部４ｃの中央部分には緊張材２が挿通される円孔４ｅが設けられている。このような形状の端部プレート４を２つに分割する分割線４ｆは、板状部４ｃの直径方向となっており、２つに分割された部材４ａ，４ｂを緊張材２の両側から挟むように突き合わせ、緊張材２が円孔４ｅに挿通された状態とすることによって、緊張材２の中間部分の周囲に装着することができるものである。
【００２６】
この端部プレート４は、上記連続繊維シート３，６を巻き回すまでに２組を緊張材２の所定の位置に装着し、連続繊維シート３，６の幅方向の両縁部を端部プレート４のフランジ部４ｄに巻き回して筒状となる連続繊維シート３，６と接合するのが望ましい。
また、この端部プレート４には、図４に示すように、２つに分割された部材の一方４ａに、板状部４ｃから突き出すように充填材の注入口４ｇが設けられている。充填材５は、２組の端部プレート４の一方に設けられた注入口４ｇから充填され、他方の端部プレート４に設けられた注入口４ｇは、筒状となった連続繊維シート３，６の内側に取り込まれている気体の排出及び内側の全域に充填材が充填されたことを確認するために用いることができる。
【００２７】
上記膨張性を有する充填材５は、充填時には液状又はゲル状であって充填後の硬化時に膨張するものが用いられる。例えば、静的破砕剤やそれに類する材料（例えば、太平洋マテリアル株式会社製「エクスグリッパー」）、膨張モルタル、アルミニウム粉末を含むグラウト材等がある。この他、合成樹脂であって硬化時に膨張性を有するものも用いることができる。
【００２８】
円筒状に巻き回して端部プレート４と一体となった連続繊維シート３の外周面には、図１に示すように金属の線材７が螺旋状に巻き回され、連続繊維シート３と一体となるように合成樹脂によって接着されている。これにより螺旋状の凸部が形成されており、この中間定着具１を埋め込むように打設されたコンクリートに対して、緊張材２の軸線方向へのずれ止めとして機能するものとなっている。
円筒状となった連続繊維シート３の外周面に螺旋状に巻き回す部材は、上記金属の線材に代えて、合成樹脂のひも状の部材等であってもよい。
【００２９】
このような中間定着具１では、引張力が導入されて両端部が構造体に定着されている緊張材２であっても該緊張材２の中間部分に装着し、図１中に示す矢印Ａの方向に引っ張られる緊張材２を、この中間定着具１を介して構造体に定着することができる。したがって、該中間定着具１の背後では緊張材２の緊張力を解放し、切断及び撤去が可能となる。そして、この中間定着具１を構成する部材が軽量となっており、緊張材２の中間部分に装着する作業を効率よく行うことができる。
【００３０】
次に上記中間定着具１を用いて、緊張力が導入されている緊張材の一部の緊張力を解放する例について説明する。
図５は、本発明に係る中間定着具１を用いてプレストレストコンクリートからなる橋桁２０の一部を撤去する例を示す概略断面図である。
この橋桁２０は複数の主桁２１を有するものであり、これらの主桁２１に支持される床版２２には幅方向に横締め緊張材２３が配置されている。この橋桁２０を老朽化等の理由によって架け替えるものであり、幅方向の約半分を残存させて車両等の交通を維持するとともに、約半分を撤去して新たな橋桁に架け替える。そして、新たな橋桁が完成すると、交通を新たな橋桁上に切り替え、最初に残存させた部分を撤去してこの部分も新たな橋桁に架け替えるものである。橋桁２０の幅方向の約半分を撤去するためには残存させる部分２０ａで横締め緊張材２３の緊張力を維持し、撤去する部分２０ｂではコンクリートを破砕するとともに横締め緊張材２３の緊張力を解放して切断することになる。
【００３１】
橋桁の一部撤去は次のような工程で行うことができる。
最初に、橋桁２０の幅方向におけるほぼ中央部でコンクリートを斫り、緊張材２３を露出させる。この部分で、図５（ａ）に示すように本発明に係る中間定着具１を緊張材２３に装着する。中間定着具１の装着は、図６（ａ）に示すように、二つに分割されている端部プレート４ａ，４ｂを、中間定着具１を装着する範囲の両端部で緊張材２３の両側から突き合わせて円孔に緊張材２３が挿通されるように配置する。連続繊維シート３は緊張材２３の周囲に巻き回し、軸線方向の両端部が端部プレート４に接合された筒状として、図６（ｂ）に示すように緊張材２３に装着する。端部プレート４の円孔と緊張材２３との間の隙間は間詰材等によって閉鎖して、図７（ａ）に示すように一方の端部プレート４に設けられた注入口４ｇ−１から液状又はゲル状の充填材を注入する。他方の端部プレート４に設けられ、排出口として機能する注入口４ｇ−２から充填材が排出されることによって筒状となった連続繊維シート３の内側に充填材が充填されたことを確認することができる。
【００３２】
充填材が硬化した後、図７（ｂ）に示すように中間定着具１を埋め込むようにコンクリート２５を打ち戻して残存させる部分２０ａのコンクリートと一体とする。打設したコンクリート２５が硬化した後、図５（ｂ）に示すように、中間定着具１がコンクリートに埋め込まれた状態を維持したまま、撤去する部分２０ｂの橋桁を破砕し、緊張材２３は切断する。これにより緊張材２３に導入されている緊張力Ａは中間定着具１を介して残存させる部分２０ａのコンクリートに伝達され、残存させる部分では幅方向のプレストレスが導入された状態が維持される。
【００３３】
図８は、本発明の他の実施形態である中間定着具を示す断面図である。
この中間定着具８は、図１及び図２に示す中間定着具１と同様に、緊張材２の中間部分の周囲に連続繊維シート９を巻き回し、両端部を端部プレート（図８中には示さない）で塞いで内側に充填材５を充填したものであるが、この中間定着具８では連続繊維シート９の内側に形状保持部材１０ａ，１０ｂを配置し、柔軟に変形する連続繊維シート９を該形状保持部材１０ａ，１０ｂに巻きつけて筒状としたものである。
【００３４】
上記形状保持部材１０ａ，１０ｂは、金属又は合成樹脂で形成された円筒状部材を軸線方向の切断線によって二つに分割したものであり、双方を突き合わせて円筒状としたときに、この周囲に巻き回した連続繊維シート９を円筒形に維持することができるものである。
連続繊維シート９は、このような形状保持部材１０ａ，１０ｂを円筒状としてその周囲に巻き回され、接着剤によって形状保持部材１０ａ，１０ｂと一体となるように強固に接着される。また、円筒状となった連続繊維シート９及び形状保持部材１０ａ，１０ｂの内側に充填された充填材５は形状保持部材１０ａ，１０ｂと密着するものであり、充填して硬化した後に形状保持部材１０ａ，１０ｂとの間で相対的な変位が生じないように形状保持部材１０ａ，１０ｂの内側には凹凸を設けておくこともできる。
【００３５】
上記形状保持部材１０ａ，１０ｂを用いて連続繊維シート９を円筒状に巻き回すときには、図９に示すように形状保持部材１０ａ，１０ｂの外周面に帯状となった連続繊維シート９の端部に張り付けておく。円筒形を二つに分割した形状保持部材１０ａ，１０ｂは周方向にほぼ連続するように貼り付け、図９に示すように円筒状となる内側を解放するように開いた状態から円筒状に閉じた状態にすることができるものとする。これにより開いた状態で円筒形の内側に緊張材２の中間部分を接近させ、２つに分割された形状保持部材１０ａ，１０ｂを閉じることによって内側に緊張材２が挿通された円筒形とすることができる。そして、この円筒形となった形状保持部材１０ａ，１０ｂの周囲に柔軟に変形する連続繊維シート９を巻き回し、接着剤で固めて連続繊維シート９を円筒状とすることができる。
なお、円筒状となった連続繊維シート９の軸線方向の端部は、図３に示すものと同様の端部プレート４を用いて閉鎖することができる。
【００３６】
上記形状保持部材１０ａ，１０ｂを用いるときには、形状保持部材１０ａ，１０ｂを連続繊維シート９に張り付けておくのではなく、図１０に示すように２つに分割した形状保持部材１０ａ，１０ｂを、それぞれ二つに分割された二つの端部プレート４を用いて筒状に組み立てておき、その周囲に連続繊維シートを巻きつけるものであってもよい。このときには、２つに分割した形状保持部材１０ａ，１０ｂを緊張材２の両側から突き合わせて筒状にし、内側に緊張材２を挿通させるとともに、軸線方向の端部における外周面又は内周面に端部プレート４ａ，４ｂのフランジ４ｄを当接する。このとき形状保持部材１０ａ，１０ｂを２つに分割する分割線１０ｃと端部プレート４ａ，４ｂを２つに分割する分割線４ｆとは方向が異なるように配置する。そして、接着剤等を用いて形状保持部材１０ａ，１０ｂと端部プレート４ａ，４ｂとを接合することによって筒状にすることができる。
【００３７】
なお、上記形状保持部材１０ａ，１０ｂは、円筒形を直径方向の分割線で同形状の２つの部分に分割したものであるが、中心角が異なる２つの部分に分割するものであってもよい。また、２つに分割するのではなく、円筒形の周方向の一部を長さ方向に連続して切り欠いた形状のものを用い、この切り欠いた部分から形状保持部材の内側に緊張材を導入するものであってもよい。
【００３８】
図１１は、本発明の他の実施形態である中間定着具を示す側面図、正面図及び断面図である。
図１に示す中間定着具１では、円筒状に巻き回した連続繊維シート３は緊張材２の軸線方向に径がほぼ同じとなっているが、この実施の形態では筒状に巻き回した連続繊維シート１３の径が軸線方向に変化するものとし、この中間定着具１１で緊張材１２を定着したときに緊張材１２が引っ張られる方向、つまり図１１中に矢印Ａで示す方向に径が徐々に縮小するものとなっている。
このような中間定着具１１でも、連続繊維シート１３、端部プレート１４は同様の材料で形成されたものを用いることができ、同様の工程で装着することができるが、緊張材１２の軸線方向の両端部で用いられる二つの端部プレート１４ａ，１４ｂは径が異なるものを用いる。また、連続繊維シート１３は、周方向に多数の繊維を配列し、横糸で束ねるときに図１２に示すように両側縁が湾曲した形状としておくことができる。
なお、充填材１５は図１に示す中間定着具１と同様のものを同様に注入して硬化させることができる。
【００３９】
以上に説明した中間定着具は、本発明の一実施形態であって、本発明はこれらに限定されるものではなく、本発明の範囲内で形状、寸法、材料等を変更し、他の形態で実施することができる。また、本発明の中間定着具の使用は、図５に示すような橋桁の横締め緊張材に限定されるものではなく、図１３及び図１４に示すように橋桁の軸線方向に配置された緊張材について使用することもできる。
【００４０】
図１３及び図１４に示す使用例は、プレストレストコンクリートからなる橋桁３１の端部が経年劣化して補修が必要になったときに、桁端部に限定して緊張材３２の緊張力を解放し、桁端部を破砕して新たなコンクリートを打設するのに中間定着具４１が用いられたものである。
このような使用例では、図１３に示すように橋桁３１の残存させる部分３１ａで緊張材３２の周囲のコンクリート３３を斫り、緊張材３２を露出させる。そして、本発明の中間定着具４１を緊張材３２に装着し、この中間定着具４１を埋め込むようにコンクリートを打設して橋桁の残存させる部分３１ａと一体とする。
打設したコンクリートが硬化した後、図１４（ａ）に示すように仮支柱３４によって橋桁３１を仮支持し、橋桁の端部３１ｂのコンクリートを破砕して除去するとともに中間定着具４１より端部側で緊張材３２の緊張力が開放された部分を切断する。切断した緊張材３２には、図１４（ｂ）に示すように新たな緊張材３５を接続して、桁端部の新たなコンクリート３６を打設する。そして、硬化後に接続した緊張材３４に緊張力を導入して橋桁端部の補修を完了する。
【符号の説明】
【００４１】
１：中間定着具，  ２：緊張材，  ３：連続繊維シート，  ４：端部プレート，  ５：充填材，  ６：連続繊維シート，  ７：金属の線材，  ８：中間定着具，  ９：連続繊維シート，  １０：形状保持部材，
１１：中間定着具，  １２：緊張材，  １３：連続繊維シート，  １４：端部プレート，  １５：充填材，  １７：金属の線材，
２０：橋桁，  ２０ａ：橋桁の残存させる部分，  ２０ｂ：橋桁の撤去する部分，  ２１：主桁，  ２２：床版，  ２３：緊張材，  ２５：中間定着具を埋め込むコンクリート，
３１：橋桁，  ３２：緊張材，  ３３：定着具を露出させるために斫るコンクリート，  ３４：仮支柱，  ３５：新たに接続した緊張材，  ３６：桁端部に打設したコンクリート，  ４１：中間定着具
【図１】
2018024983.tif 000003
【図２】
2018024983.tif 000004
【図３】
2018024983.tif 000005
【図４】
2018024983.tif 000006
【図５】
2018024983.tif 000007
【図６】
2018024983.tif 000008
【図７】
2018024983.tif 000009
【図８】
2018024983.tif 000010
【図９】
2018024983.tif 000011
【図１０】
2018024983.tif 000012
【図１１】
2018024983.tif 000013
【図１２】
2018024983.tif 000014
【図１３】
2018024983.tif 000015
【図１４】
2018024983.tif 000016